(57)【要約】【課題】非常解錠用のリリース部の不正操作を防止することができる遊技機の施錠装置の不正操作防止構造を提供する。【解決手段】非常解錠用のリリース部４６６ａを備えた施錠装置４６に、シリンダ錠４６４に弾性力によって圧着して、後方側からしかリリース部４６６ａを操作することができないように形成されたリリース部用保護カバー４６７を備えるようにする。【選択図】図３
2008228809.tif 000002
【特許請求の範囲】
【請求項１】
本体フレームに揺動可能に軸支された開閉フックに連なり、かつ前記本体フレームに配設されたシリンダ錠のキー操作により回動するカム板によってスライド移動して、筐体側の施錠受け金具から前記開閉フックを離脱させる連結杆と、
前記連結杆に連なると共に、前記カム板とは無関係に、前記連結杆をスライド移動させる板金スライド部材と、
前記板金スライド部材に一体形成されたリリース部と、を備えた遊技機の施錠装置の不正操作防止構造において、
前記シリンダ錠に弾性力によって圧着して、前記本体フレームと協働して前記リリース部の後方を除いた面部を覆うリリース部用保護カバーを設けたことを特徴とする遊技機の施錠装置の不正操作防止構造。
【発明の詳細な説明】
【技術分野】
【０００１】
この発明は、スロットマシン等の遊技機の施錠装置の不正操作防止構造に関する。
【背景技術】
【０００２】
従来、遊技機の施錠装置にあっては、図９に示されるように、施錠装置４６の本体フレーム４６０に揺動可能に軸支された上下２つの開閉フック４６１，４６２に連なった連結杆４６３を、シリンダ錠４６４のキー操作により回動するカム板４６５によって上方にスライド移動させて、筐体側の施錠受け金具（図示せず）から開閉フック４６１，４６２を離脱させることによって、前扉を解錠状態にするように構成されていた（特許文献１参照）。
【０００３】
【特許文献１】特開２００６−２０９２７号公報
【発明の開示】
【発明が解決しようとする課題】
【０００４】
ところで、近年では、このような施錠装置４６に、非常用として、遊技機の筐体裏側から施錠装置４６を解錠するためのリリース部を設ける傾向にある。
図１０，１１に示されるように、リリース部４６６ａは、連結杆４６３に対して前後方向に揺動可能、かつ連結杆４６３と共に一体的に上方向にスライド移動するように設けられた板金スライド部材４６６の後部（筐体の背板部に臨んだ面部のこと）を、前扉４の左右中心に向かって横向きに折り曲げることによって一体形成されている。そして、このリリース部４６６ａを、筐体の背板部に設けられた挿通孔を通して、筐体裏側から上方に向かって押し上げると、カム板４６５とは無関係に、連結杆４６３が板金スライド部材４６６と共に上方にスライド移動して、２つの開閉フック４６１，４６２を筐体側の施錠受け金具から離脱させるというものである。
しかしながら、前扉４と筐体との隙間や、筐体右横にドリル等であけられた孔から挿入された針金等の異物によってリリース部４４６ａが不正操作され、前扉４が開けられてしまうという問題があった。
【０００５】
本発明は、こうした事情に鑑みてなされたものであり、非常解錠用のリリース部の不正操作を防止することができる遊技機の施錠装置の不正操作防止構造を提供することを目的とする。
【課題を解決するための手段】
【０００６】
上記目的を達成するため請求項１に記載の発明は、本体フレームに揺動可能に軸支された開閉フックに連なり、かつ前記本体フレームに配設されたシリンダ錠のキー操作により回動するカム板によってスライド移動して、筐体側の施錠受け金具から前記開閉フックを離脱させる連結杆と、前記連結杆に連なると共に、前記カム板とは無関係に、前記連結杆をスライド移動させる板金スライド部材と、前記板金スライド部材に一体形成されたリリース部と、を備えた遊技機の施錠装置の不正操作防止構造において、
前記シリンダ錠に弾性力によって圧着して、前記本体フレームと協働して前記リリース部の後方を除いた面部を覆うリリース部用保護カバーを設けたことを特徴とする。
【０００７】
請求項１に記載の発明によれば、非常解錠用のリリース部を備えた施錠装置に、シリンダ錠に弾性力によって圧着して、後方側からしかリリース部を操作することができないように形成されたリリース部用保護カバーを備えた。これにより、リリース部は、後方側、例えば、筐体背板側からしか操作することができなくなるので、前扉と筐体との隙間や、筐体右横にドリル等であけられた孔から挿入された針金等の異物によってリリース部を上方に押し上げることはできなくなる。従って、リリース部が不正操作されるのを防止することができるようになる。
【発明の効果】
【０００８】
本発明の遊技機の施錠装置の不正操作防止構造によれば、非常解錠用のリリース部を備えた施錠装置に、シリンダ錠に弾性力によって圧着して、後方側からしかリリース部を操作することができないように形成されたリリース部用保護カバーを備えた。これにより、不正操作によってリリース部を上方に押し上げることはできなくなるので、リリース部の不正操作を防止することができるようになる。
【発明を実施するための最良の形態】
【０００９】
以下、本発明の好適な一実施形態を、スロットマシンを例に図面を参照して説明する。図１は、スロットマシンの正面図、図２は、前扉を開放した状態におけるスロットマシンの内部構造を示した正面図である。なお、従来と同様の構成部材については、同一の符号を付している。
【００１０】
スロットマシン１は、図１，２に示されるように、前面が開放した矩形状箱体の筐体（所謂キャビネット、図２に図示）２と、この筐体２にスライドヒンジ３，３を介して開閉可能に取り付けられた右開き（左ヒンジ）の前扉（所謂フロントマスク）４と、を備えて構成されている。
【００１１】
まず、筐体２の内部構造について説明する。
筐体２は、図２に示されるように、いずれも木製の上板部２ａ、左右側板部２ｂ，２ｃ、底板部２ｄ、背板部２ｅを備えて構成されている。
筐体２内の背板部２ｅの上部には、スロットマシン１の全体動作を集中制御するＣＰＵ（マイコン）を備えた主制御基板２０が、硬質プラスチック製のカバー２１内に収容された状態で取り付けられている。カバー２１は、主制御基板側に設けられた基板側カバーに蓋側カバーが重ね合わされた状態で、両カバー上部間に跨った２つのかしめ具としてのかしめキャップ２２により内部封止がなされている。かしめキャップ２２は、ほぼ円筒状の本体部の左右側部に一体形成された前後２つの固定係止爪が、それぞれ基板側カバー或いは蓋側カバーの所定位置に係止することにより、基板側カバーと蓋側カバーとを抜け止め固定し、カバー２１を封止するようになっている。
【００１２】
また、筐体２内の右側板部２ｃの上部には、スロットマシン１からホールコンピュータに向かって所定の情報データ（例えば、大当たり、払い戻し数等）を出力するための外部出力端子を備えた外部集中端子基板２３が取り付けられている。さらに、この右側板部２ｃには、前扉４の施錠装置４６の開閉フック４６１，４６２及び回転ローラ４６０ｂ２を係止させるための板金製の施錠受け金具２４ａ，２４ｂ，２４ｃが取り付けられている。
【００１３】
筐体２内の中央には、リール１０１ａ，１０１ｂ，１０１ｃを備えた可変表示装置を構成するリールユニット１００が配設されている。このリールユニット１００は、左右側板部２ｂ，２ｃ、背板部２ｅによって支持された金属製のフレーム板部２ｆの上面に載置されているものであって、前扉４が筐体２側に閉じられると、前扉４のパネル面５０の表示窓５１に、複数種類の図柄や数字等による識別情報が描かれたリール１０１ａ，１０１ｂ，１０１ｃが位置するようになっている。
【００１４】
リール１０１ａ，１０１ｂ，１０１ｃは、それぞれに内蔵されたステッピングモータによって回転駆動されるものであって、リールユニット１００の上面には、ステッピングモータへ４相の駆動パルス信号を送出する回胴装置基板２５が取り付けられている。そして、主制御基板２０が回胴装置基板２５に回胴駆動（励磁）パルスデータを送出することで、リールｌ０１ａ，１０１ｂ，１０１ｃの回転、制動及び停止の制御が行われるようになっている。
【００１５】
リールユニット１００の下方側、つまり筐体２内の底板部２ｄの上面中央には、筐体２内に投入されたメダル等の遊技媒体（以下、メダルという）を一時的に貯留し、必要に応じて払い出すメダル払出装置としてのホッパー装置２６が取り付けられている。このホッパー装置２６の右側には、このホッパー装置２６から溢れたメダルを収容するためのサブタンク２７が取り付け固定されている。また、ホッパー装置２６の左側には、外部から電力供給を受けて内部装置に必要な電力を供給する主電源装置２８がアースされた状態で取り付け固定されている。この主電源装置２８には、いわゆる配電盤に相当する電源装置基板が内蔵されている。
【００１６】
次に、前扉４の外部構成について説明する。
前扉４の前面側は、図１に示されるように、遊技者に面する「前面パネル部」として視覚効果を高めるようにデザインされた所謂化粧板として硬質プラスチックにより一体形成されているものであって、上部パネル部５、下部パネル部６、操作卓７にほぼ区分されるようになっている。
【００１７】
上部パネル部５の中央には、パネル面５０が設けられている。このパネル面５０のほぼ中央には、略矩形状の透明な表示窓５１が設けられており、この表示窓５１を通して、筐体２内に設けられたリールユニット１００の３個のリール１０１ａ，１０１ｂ，１０１ｃを目視できるようになっている。
【００１８】
上部パネル部５の上部や左右側部には、レンズパネルの内部に蛍光灯や高輝度発光ダイオード等の光源を内蔵する照明手段としての照明演出装置５２、演出用照明部５３ａ〜５３ｆが配設されている。これら照明演出装置５２、演出用照明部５３ａ〜５３ｆは、ゲームの進行に応じて点灯或いは点滅することで、ゲームにおける視覚的な演出効果を高めるようになっている。また、照明手段としての照明演出装置５２は、スロットマシン１の遊技状態を報知する手段としても機能するようになっている
【００１９】
照明演出装置５２の下方には、ゲームに係る効果音を発生するスピーカ４２ａ，４２ｂ（図２に図示）を内蔵した左右一対の演出用放音部５４ａ，５４ｂと、液晶表示演出装置５５とが配設されている。液晶表示演出装置５５は、透明な硬質プラスチック板等が嵌め込まれることによって形成されたスロットマシン１の演出装置であって、ゲームの演出に係る映像やゲーム（遊技）に関する情報を主に表示するようになっている。
【００２０】
下部パネル部６には、スロットマシン１のモデルタイプを遊技者へ認識させる等のため、登場キャラクターの意匠等を表示するパネル６１が設けられている。このパネル６１の下方には、受皿ユニット６２、入賞時にメダルを排出するメダル払出口６３、演出効果音を発生するスピーカ４５ａ，４５ｂ（図２に図示）を内蔵した演出用放音部６４ａ，６４ｂ等が配設されている。さらに、受皿ユニット６２には、メダル払出口６３から払い出されたメダルを貯留する受皿部６２ａが一体形成されていると共に、遊技者の喫煙の用に供するための灰皿部材６５が設けられている。
【００２１】
また、パネル６１の左右両側には、レンズパネルの内部に高輝度発光ダイオード等の光源を内蔵する演出用照明部６６ａ，６６ｂが配設されている。これら演出用照明部６６ａ，６６ｂは、照明演出装置５２、演出用照明部５３ａ〜５３ｆと同様に、ゲームの進行に応じて点灯或いは点滅することで、ゲームにおける視覚的な演出効果を高めるようになっている。
【００２２】
操作卓７は、その上面側に、メダル投入部７１、ベットボタン７２，７３が配設されていると共に、前面側に、スタートレバー７４、ストップボタン７５ａ，７５ｂ，７５ｃ、精算ボタン７６、イジェクトボタン７７、鍵穴７８が配設されている。
【００２３】
メダル投入部７１には、ゲームに賭けるメダルを筐体２内に投入するためのメダル投入口が一体的に形成されている。
ベットボタン７２，７３は、スロットマシン１の１ゲームに賭けるメダルの枚数を提示するためのボタンスイッチである。すなわち、ゲームを開始する際に、ベットボタン７２を１回押圧操作すると、貯留されているメダルのなかから１枚のメダルがゲームに対して賭けられ、また、ベットボタン７３を１回押圧操作すると、３枚のメダルが当該ゲームに賭けられる。このため、ベットボタン７２は、「１ベットボタン」、ベットボタン７３は、最大枚数のメダルを賭けることができるので、「マックスベットボタン」と呼ばれている。
【００２４】
スタートレバー７４は、リール１０１ａ〜１０１ｃの回転開始を指示するためのレバースイッチである。
ストップボタン７５ａ，７５ｂ，７５ｃは、スタートレバー７４によって回転動しているリール１０１ａ，１０１ｂ，１０１ｃの回転停止をそれぞれ指示するためのボタンスイッチであって、各リールの配列に対応して並設されている。
精算ボタン７６は、ゲームに賭けたメダルの払い出しを指示すると共に、メダルクレジット手段（図示せず）が内部保留したメダルの払い出しを指示するためのボタンスイッチである。
【００２５】
イジェクトボタン７７は、メダル投入後に詰まったメダルを排出するボタンスイッチである。
鍵穴７８は、前扉４を開錠するための鍵が挿入されるものであって、この鍵穴７８にスロットマシン１の管理者などが所定の鍵を挿入して開錠操作すると、スライドヒンジ３，３を介して筐体２に取り付けられた前扉４を前方へ開くことができるようになっている。また、前扉４を筐体２側に閉じると、自動的にこれらを施錠するようになっている。
【００２６】
次に、前扉４の裏面構造について説明する。
図２に示されるように、前扉４の裏面側上部、つまり、液晶表示演出装置５５の裏面側にあたる位置には、電気回路基板によって形成されたサブ制御基板４０が、カバー２１と同様の態様とされた硬質プラスチック製のカバー４１に収納された状態で配設されている。このサブ制御基板４０は、液晶表示演出装置５５による演出映像の表示制御、照明演出装置５２及び演出用照明部５３ａ〜５３ｆ、６６ａ，６６ｂを用いた演出効果照明制御、演出用放音部５４ａ，５４ｂ，６４ａ，６４ｂを用いた演出効果音制御等、ゲームの演出に係る制御を主に行う。また、このサブ制御基板４０の左右側、つまり演出用放音部５４ａ，５４ｂの裏面側にあたる位置には、左右一対のスピーカ４２ａ，４２ｂが配設されている。
【００２７】
サブ制御基板４０の下方側、すなわち、パネル面５０の裏面側にあたる位置には、図示はしないが、リールｌ０１ａ，１０１ｂ，１０１ｃの外周面を照射して図柄を明るく表示させるための冷陰極蛍光ランプと、冷陰極蛍光ランプを駆動するインバータと、硬質プラスチック製の中央制御基板カバーに収納された中央制御基板とが、ユニット化された状態で取り付けられるようになっている。
【００２８】
操作卓７の裏面側の、メダル投入部７１の下方側にあたる位置には、メダル選別装置４３が配設されている。このメダル選別装置４３は、メダル投入部７１から投入されたメダルの適否を判別し振り分ける装置である。さらに、このメダル選別装置４３は、メダルセンサを内蔵しており、ゲームの待機状態等において正規のメダルが投入されてメダルセンサがこのメダルを検出すると、メダル投入の受け付けを示す信号を中央制御基板へ送出するようになっている。
【００２９】
また、メダル選別装置４３には、メダル選別装置４３の右側面から排出された正規のメダルを筐体２内に設けられたホッパー装置２６へ案内する紙面奥側から手前側に延びた平面視Ｊ字状のガイド部材４４ａと、メダル選別装置４３により排除されたメダル（或いは異物）を下方のメダル払出口６３へ案内するガイド部材４４ｂとが連なっている。さらに、ガイド部材４４ｂの下部には、ホッパー装置２６から排出されたメダルをメダル払出口６３へ案内するガイド部材４４ｃが連なっている。
また、前扉４の裏面側下部、つまり、演出用放音部６４ａ，６４ｂの裏目側にあたる位置には、左右一対のスピーカ４５ａ，４５ｂが配設されている。
また、鍵穴７８の裏面側には、不正操作防止構造が施された施錠装置４６が配設されている。
【００３０】
ここで、本発明のスロットマシンの施錠装置の不正操作防止構造について図２〜８を用いて説明する。
図３は、本発明の施錠装置の不正操作防止構造を説明するための斜視図、図４は、同例におけるリリース部用保護カバーを説明するための斜視図、図５は、図３中のＡ矢視図、図６は、図３中のＢ矢視図、図７は、前扉に取り付けられた施錠装置の状態を示す平断面図、図８は、図７中のＣ矢視図である。
【００３１】
図２に示されるように、施錠装置４６は、本体フレーム４６０、開閉フック４６１，４６２、連結杆４６３、シリンダ錠４６４（図３〜７に図示）、カム板４６５、板金スライド部材４６６（図７，８に図示）、リリース部４６６ａ、リリース部用保護カバー４６７を備えて構成されている。
【００３２】
詳述すると、本体フレーム４６０は、図３に示されるように、断面Ｌ字状となるように屈曲形成された長尺状の板金部材であって、前扉４の裏面左側に沿って取り付けられる取付面部４６０ａと、開閉フック４６１，４６２、連結杆４６３、板金スライド部材４６６を支持する支持面部４６０ｂとを備えている。
【００３３】
取付面部４６０ａには、図３，４に示されるように、この本体フレーム４６０を前扉４の裏面側に取り付けるためのボルト孔４６０ａ１やボルト挿通孔４６０ａ２が長手方向に沿って複数穿設されている。さらに、この取付面部４６０ａには、シリンダ錠４６４を取り付けるための挿入孔４６０ａ３（図４に図示）及びネジ孔４６０ａ４，４６０ａ４が穿設されていると共に、連結杆４６３の上下方向の進退移動を案内するための複数の切りおこし部４６０ａ５が、筐体２側（後側）に向かって突出した状態で一体的に形成されている。
【００３４】
この取付面部４６０ａに取り付けられるシリンダ錠４６４は、図８に示されるように、その基部側に、挿入孔４６０ａ３よりも拡径された取付フランジ部４６４ａと、シリンダ錠４６４のキー操作により回動するカム板４６５とが設けられている。さらに、このカム板４６５には、２つのカム部４６５ａ，４６５ｂが適宜角度をあけた状態で一体的に形成されている。カム部４６５ａは、左回しのキー操作により、後述する第２の板金スライド部材４６８に接合して下方にスライド移動させるようになっている。また、カム部４６５ｂは、右回しのキー操作により、連結杆４６３及び板金スライド部材４６６に接合して上方にスライド移動させるようになっている。
【００３５】
なお、連結杆４６３及び板金スライド部材４６６には、カム部４６５ａが接合しないように、図示しない切り欠き部が設けられていると共に、第２の板金スライド部材４６８には、カム部４５６ｂが接合しないように、図示しない切り欠き部が設けられている。
また、カム部４６５ａ，４６５ｂの回動軌跡が互い違いとなるように、カム部４６５ｂには紙面手前側に向かった段部４６５ｂ１が設けられている。
【００３６】
そして、シリンダ錠４６４は、図３，４に示されるように、取付面部４６０ａの裏面側において挿入孔４６０ａ３に抜け止めされた状態で、フランジ部４６４ａを挿通してネジ孔４６０ａ４，４６０ａ４に螺合する固定ネジ４７２，４７２（図８に図示）によって、取付面部４６０ａに共締め固定されるようになっている。
なお、ネジ孔４６０ａ４，４６０ａ４に螺合した固定ネジ４７２，４７２は、図６に示されるように、その軸部先端が、後述するリリース部用保護カバー４６７の前面よりも前方に位置するようになっている。
【００３７】
ところで、支持面部４６０ｂには、図３，４に示されるように、開閉フック４６１，４６２が上下に離間した状態で揺動可能に軸支されていると共に、これら開閉フック４６１，４６２の基端部間には、連結杆４６３（図７，８に図示、図９参照）の上下端部が揺動可能に連なっている。さらに、連結杆４６３は、支持面部４６０ｂに横向きに取り付けられた固定ピン４６０ｂ１（図７，８に図示）によって、上方向にスライド移動可能となるように支持されている。
【００３８】
さらに、この支持面部４６０ｂには、図３，４に示されるように、開閉フック４６２の下方側において回転ローラ４６０ｂ２が回転可能に軸支されている。この回転ローラ４６０ｂ２は、施錠受け金具２４ｃ（図２に図示）の上面を転動することにより、開閉フック４６１，４６２を施錠受け金具２４ａ，２４ｂに精度良く係合させるようになっている。
【００３９】
また、支持面部４６０ｂには、複数の切りおこし部４６０ｂ３が一体的に形成されており、開閉フック４６１，４６２の揺動を規制したり、第２の板金スライド部材４６８の下方へのスライド移動を規制したりするようになっている。
【００４０】
さらには、この支持面部４６０ｂには、横向きのフランジ部４６０ｂ４が一体形成されており、このフランジ部４６０ｂ４の上面側にフォトセンサ４６０ｂ５が取り付けられている。
【００４１】
そして、支持面部４６０ｂと連結杆４６３との対向面間には、板金スライド部材４６６が上方向にスライド移動可能、かつ第２の板金スライド部材４６８が下方向にスライド移動可能となるように配設されている。
【００４２】
ここで、第２の板金スライド部材４６８について説明する。
第２の板金スライド部材４６８は、シリンダ錠４６４が左回しにキー操作がなされると、カム部４６５ａにより下方に向かってスライド移動する板金部材である。この第２の板金スライド部材４６８の下端部には、図３〜８に示されるように、横向きのフランジ部４６８ａが一体形成されており、第２の板金スライド部材４６８が下方にスライド移動したことが、フォトセンサ４６０ｂ５によって検出されるようになっている。フォトセンサ４６０ｂ５が検出した検出値は、エラーや打ち止めなどのリセットデータとして供される。
【００４３】
また、この第２の板金スライド部材４６８と連結杆４６３との間には、引っ張りバネ４７０が張架されており、連結杆４６３及び第２の板金スライド部材４６８を元の状態（スライド前の状態）に復帰させるようになっている。このため、連結杆４６３は、常に、開閉フック４６１，４６２を筐体２側の施錠受け金具２４ａ，２４ｂに係止させる状態を維持するようになっている。
以上、第２の板金スライド部材４６８について説明した。
【００４４】
板金スライド部材４６６は、図７，８に示されるように、支持面部４６０ｂに固定ピン４６０ｂ１を介して上方向にスライド移動可能に支持されていると共に、連結杆４６３に揺動ピン４６９を介して前後方向に揺動可能に支持されている。また、図８に示されるように、この板金スライド部材４６６のフック部４６６ｂと連結杆４６３との間には、引っ張りバネ４７１が張架されており、揺動ピン４６９周りに揺動した板金スライド部材４６６を元の状態に復帰させるようになっている。また、この引っ張りバネ４７１は、カム部４６５ｂが板金スライド部材４６６等に接合する際のダンパーとして機能するようになっている。
【００４５】
さらに、板金スライド部材４６６には、板金スライド部材４６６の後部（筐体２側に臨む面部のこと）を、前扉４の左右中心に向かって横向きに折り曲げることによって、筐体２の裏側から施錠装置４６を解錠するための、非常用のリリース部４６６ａが一体形成されている。このリリース部４６６ａは、上方に押し上げられることによって、カム板４６５とは無関係に、板金スライド部材４６６と共に連結杆４６３を上方に向かってスライド移動させ、筐体２側の施錠受け金具２４ａ，２４ｂから開閉フック４６１，４６２を離脱させて、前扉４を解錠状態とする。このため、リリース部４６６ａが不正操作されると、前扉４が解錠状態となってしまう。
【００４６】
そこで、図３〜８に示されるように、リリース部４６６ａを不正操作から保護するためのリリース部用保護カバー（以下、カバーという）４６７を備えた。
【００４７】
このカバー４６７は、汎用プラスチック、例えば、ＰＣ（ポリカーボネート）樹脂により形成されているものであって、図４に示されるように、圧着部４６７ａ、本体部４６７ｂ、係止爪４６７ｃを備えている。
圧着部４６７ａは、半割筒状に形成されており、シリンダ錠４６４に弾性力によって圧着するようになっている。
本体部４６７ｂは、平面視Ｌ字状、側面視矩形状に形成されており、この本体部４６７ｂに対向配置される支持面部４６０ｂと協働して、リリース部４６６ａの横方向からのアクセスを塞ぎ、かつ筐体２の背板部２ｅ側からのみリリース部４６６ａの操作を可能とするように形成されている。
係止爪４６７ｃは、本体部４６７ｂの下方側に形成されており、支持面部４６０ｂの後部に係止することにより、カバー４６７を前後方向にずれないようにすると共に、シリンダ錠４６４を回動中心としたカバー４６７の回動を規制するようになっている。
【００４８】
さらに、本体部４６７ｂの外面は、前方から後方に向かってリリース部４６６ａを覆うように湾曲或いは傾斜形成されており、前扉４の前面側からリリース部４６６ａに対して差し込まれた針金等の異物を、リリース部４６６ａから遠ざけるようになっている。
また、図５に示されるように、この本体部４６７ｂの前面に形成された係合孔４６７ｂ１には、取付面部４６０ａに螺合した下側の固定ネジ４７２の軸部が係合するようになっている。これにより、カバー４６７を取り付ける際の位置決め精度を向上させることができると共に、シリンダ錠４６４を回動中心としたカバー４６７の回動を阻止することができる。また、カバー４６７が、そのような状態において回動したとしても、取付面部４６０ａから突出している上側の固定ネジ４７２によって、そのカバー４６７の回動が阻止されるようになっている。
また、本体部４６７ｂの内面には、図４に示されるように、リブ部４６７ｂ２が棚状に一体形成されている。このリブ部４６７ｂ２は、本体部４６７ｂを補剛すると共に、係合孔４６７ｂ１と同様に、シリンダ錠４６４を回動中心としたカバー４６７の回動をしづらくさせるようになっている。さらには、前扉４と筐体２との横の隙間から差し込まれた針金等の異物に対し、リリース部４６６ａが上方に押し上げられるのを阻止するようになっている。
【００４９】
なお、このカバー４６７は、全体を不透明として、前方及び横方向からリリース部４６６ａの位置を分かりにくくするのが好ましいが、これに限定されるものではなく、本体部４６７ｂのみを不透明としてもよい。
【００５０】
以上説明したように本発明によれば、非常解錠用のリリース部４６６ａを備えた施錠装置４６に、シリンダ錠４６４に弾性力によって圧着して、後方側からしかリリース部４６６ａを操作することができないように形成されたリリース部用保護カバー４６７を備えた。これにより、リリース部４６６ａは、後方側、例えば、筐体２の背板部２ｅ側からしか操作することができなくなるので、前扉４と筐体２との隙間や、筐体２の右横にドリル等であけられた孔から挿入された針金等の異物によってリリース部４６６ａを上方に押し上げることはできなくなる。従って、リリース部４６６ａが不正操作されるのを防止することができるようになる。
【図面の簡単な説明】
【００５１】
【図１】スロットマシンの正面図である。
【図２】前扉を開放した状態におけるスロットマシンの内部構造を示した正面図である。
【図３】本発明の施錠装置の不正操作防止構造を説明するための斜視図である。
【図４】同例におけるリリース部用保護カバーを説明するための斜視図である。
【図５】図３中のＡ矢視図である。
【図６】図３中のＢ矢視図である。
【図７】前扉に取り付けられた施錠装置の平断面図である。
【図８】図７中のＣ矢視図である。
【図９】従来の施錠装置の側面図である。
【図１０】非常用のリリース部を備えた施錠装置の閉断面図である。
【図１１】図１０中のＤ矢視図である。
【符号の説明】
【００５２】
１…スロットマシン（遊技機）
２…筐体
２４ａ，２４ｂ…施錠受け金具
４…前扉
４６…施錠装置
４６０…本体フレーム
４６１，４６２…開閉フック
４６３…連結杆
４６４…シリンダ錠
４６５…カム板
４６６…板金スライド部材
４６６ａ…リリース部
４６７…カバー（リリース部用保護カバー）
【図１】
2008228809.tif 000003
【図２】
2008228809.tif 000004
【図３】
2008228809.tif 000005
【図４】
2008228809.tif 000006
【図５】
2008228809.tif 000007
【図６】
2008228809.tif 000008
【図７】
2008228809.tif 000009
【図８】
2008228809.tif 000010
【図９】
2008228809.tif 000011
【図１０】
2008228809.tif 000012
【図１１】
2008228809.tif 000013